(57)【要約】      （修正有）【課題】プリーツなどの装飾体等を容易に取り替え可能とし、装飾体を外して洗濯を可能とした衣類等の装飾体等取付け構造を提供する。【解決手段】プリーツからなる装飾体等本体１１と、この装飾体等本体１１の一方の側に設けられたチャック型ファスナーからなる装飾体等側連結部１２と、装飾体等本体１１の他方の側に設けられた噛合せ移動体４を有するチャック型ファスナーからなる装飾体等側連結部１３とからなっていて、装飾体等側連結部１２は分離部側連結部５か７に連結して、装飾体等側連結部１３は分離部側連結部６か８に連結して取付ける。【選択図】図１
2005325496.tif 000002
【特許請求の範囲】
【請求項１】
衣類等本体と、この衣類等本体に設けられた分離部と、この分離部の一方の側に設けられたプリーツなどの主に第１の装飾体等の一方の側などを着脱自在に連結するための第１の分離部側連結部と、前記分離部の他方の側に設けられた主に前記第１の装飾体等の他方の側などを着脱自在に連結するための第２の分離部側連結部と、前記分離部の一方の側に設けられたプリーツなどの主に第２の装飾体等の一方の側などを着脱自在に連結するための第３の分離部側連結部と、前記分離部の他方の側に設けられた主に前記第２の装飾体等の他方の側などを着脱自在に連結するための第４の分離部側連結部とからなることを特徴とする衣類等の装飾体等取付け構造。
【請求項２】
第１の分離部側連結部と第２の分離部側連結部が着脱自在に連結可能とされ、且つ、第３の分離部側連結部と第４の分離部側連結部が着脱自在に連結可能されあるいはいずれか一方が着脱自在に連結可能としてなることを特徴とする請求項１記載の衣類等の装飾体等取付け構造。
【請求項３】
第１の分離部側連結部と第２の分離部側連結部、第３の分離部側連結部と第４の分離部側連結部のいずれか一方が連結可能されるとともに、連結ができない側に第１の装飾体等が連結取付け可能としてなることを特徴とする請求項１記載の衣類等の装飾体等取付け構造。
【発明の詳細な説明】
【技術分野】
【０００１】  本発明は、主に衣類などにプリーツなどの装飾体等を着脱自在に取付けることのできる衣類等の装飾体等取付け構造に関する。
【背景技術】
【０００２】  従来のダンス用衣服の裾側に分離部を設け、この分離部の一方の側にチャック式ファスナーの一方の側を設け、該分離部の他方の側にチャック式ファスナーの他方の側を設け、該分離部の一方の側に一方の側を縫い付けなどで連結取付け該分離部の他方の側に他方の側を縫い付けなどで連結け該分離部を塞ぐようにプリーツなどの装飾体を設けてなるダンス用衣服が知られている。
【発明の開示】
【発明が解決しようとする課題】
【０００３】  前述した従来技術のダンス用衣服は次のような欠点があった。
（１）装飾体が衣服に縫い付けるなど取り外すことができない構成であるので、多様な装飾体を使用者自身が簡単に交換して、多様な形態を楽しむことができない、多様な形態を求める場合は衣類を多数購入するなりしなければならないという欠点があった。
（２）分離部を閉じたままでは装飾体を外に出すことができないという欠点があった。
（３）装飾体をつけたまま衣類の洗濯をしなければならない、このため同時に洗濯し難いものは装飾体として使用でき難いという欠点があった。【０００４】  本発明は以上のような従来技術の欠点に鑑みてなされたものであって、プリーツなどの装飾体等を容易に取り替え可能とし、装飾体を外して洗濯を可能とした衣類等の装飾体等取付け構造を提供することを目的としている。
【課題を解決するための手段】
【０００５】  上記目的を達成するために、本発明は以下に述べるような構成となっている。
＜請求項１記載の発明＞
衣類等本体と、この衣類等本体に設けられた分離部と、この分離部の一方の側に設けられたプリーツなどの主に第１の装飾体等の一方の側などを着脱自在に連結するための第１の分離部側連結部と、前記分離部の他方の側に設けられた主に前記第１の装飾体等の他方の側などを着脱自在に連結するための第２の分離部側連結部と、前記分離部の一方の側に設けられたプリーツなどの主に第２の装飾体等の一方の側などを着脱自在に連結するための第３の分離部側連結部と、前記分離部の他方の側に設けられた主に前記第２の装飾体等の他方の側などを着脱自在に連結するための第４の分離部側連結部とで衣類等の装飾体等取付け構造を構成している。
装飾体等はプリーツに限らず一枚シート布形態部材、メッシュや大穴格子形態部材、多数の横ヒダや縦ヒダ形態のなど多様なものがある。
「この分離部の一方の側に設けられたプリーツなどの主に第１の装飾体等の一方の側などを着脱自在に連結するための第１の分離部側連結部と、」の「主に」とは、装飾体等は両側にチャックファスナーなどの装飾体等側連結部を備えて衣類等本体の両側の分離部側連結部に連結されて、該分離部の全部あるいは一部を塞ぐ形態のもの、装飾体等の一方の側や中央部位などにのみ一つの装飾体等側連結部を備えて分離部側連結部に連結取付けられて該装飾体の一方の側をフリー状態とするものなど多様な連結形態、取付け形態を含む意味である。
第１の装飾体等と第２の装飾体等はその装飾体側連結部が同じものの場合も相違する場合のものものあるし、両装飾体が別のものであるもの同じものであるものも含むものであり、ここでは分かりやすくするためにこのような表現をしているものである。
分離部側連結部はチャック形態のファスナー、面ファスナー、粘着式面ファスナー、嵌合式ボタン、ボタン穴とボタンなど多様な連結形態を含むものである。
「分離部」とは、ズボンの裾、袖、上着などの下部側から裂かれるように設けた部位や、図１のようなスカート全体が縦割りに裂かれたれ多様な形態などさまざまである。
「分離部」は複数設けてなるものもよく、その設ける場所も多様であることはいうまでもない。【０００６】＜請求項２記載の発明＞
前記請求項１記載の発明において、第１の分離部側連結部と第２の分離部側連結部が着脱自在に連結可能とされ、且つ、第３の分離部側連結部と第４の分離部側連結部が着脱自在に連結可能されあるいはいずれか一方が着脱自在に連結可能としてなる衣類等の装飾体等取付け構造を構成している。
＜請求項３記載の発明＞
前記請求項１記載の発明において、第１の分離部側連結部と第２の分離部側連結部、第３の分離部側連結部と第４の分離部側連結部のいずれか一方が連結可能されるとともに、連結ができない側に第１の装飾体等が連結取付け可能としてなること衣類等の装飾体等取構造を構成している。
【発明の効果】
【０００７】  以上の説明から明らかなように、本発明にあっては次に列挙する効果が得られる。【０００８】  第１、第２、第３、第４の分離部側連結部および装飾体等の装飾体等側連結部は同じ種類とし、装飾体等をどちらの分離部側連結部にも取付け可能とし、第１と第２、第３と第４の分離部側連結部は連結可能とするのが一般的であり、最も使用しやすく多機能な表現形態を実現するので、この形態での効果を説明する。
（１）次のような多様な取付け表現形態を実現するという効果をえることができる。
Ａ：第１と第２の分離部側連結部（外側）に第１の装飾体等を取付け、第３と第４の分離部側連結部（内側）に第２の装飾体等を取付ける、いわゆる二種類の装飾体等を取付けて使用することでき、装飾体等を入れ替えて使用する、状況などに合わせて表側を外して内側装飾体等にするなどのことができる。
また、外側の装飾体等と内側の装飾体等を組合わせた表現形態を実現できる。
また、外側の装飾体等が金属片、プラスチック片、発光ダイオードと配線、肌触りの悪い部材などからなるものである場合、内側の装飾体等は装飾機能よりも、これら部材が皮膚に触れるのを防止する保護シート機能を有するものにするなどのこともできる。
また、発光ダイオードなどの発光体を装飾体等に散りばめた構成などにおいては、線材や電池や制御部は内側の装飾体等に設けることにより、表側の装飾体等はその動きの軽快さ等を失わないものにできる。
Ｂ：第３と第４の分離部側連結部（内側）を連絡するように第１の装飾体等を取付け、第１の分離部側連結部（外側）に第２の装飾体等を取付け、第２の分離部側連結部（外側）に第３の装飾体等を取付けた表現使用ができる。
Ｃ：第３と第４の分離部側連結部（内側）を連結して分離部を閉じ状態とし、分離部側連結部（内側）を連絡するように第１の装飾体等を取付け、第１の分離部側連結部（外側）に第２の装飾体等を取付け、あるいは第１の分離部側連結部（外側）と第２の分離部側連結部（外側）を連絡する第第３の装飾体等を取付た表現使用ができる。
（２）装飾体等を外して衣類等の洗濯を装飾体等の洗濯なり清掃を別別に行うことができるので、使用したいどのようなものでも装飾体等を形成できるという効果を得ることができる。
【発明を実施するための最良の形態】
【０００９】  以下、図面に示す発明を実施するための最良の形態により、本発明を詳細に説明する。但し本発明をこれらのみに限定する趣旨のものではない。【００１０】  図１に示す本発明を実施するための最良の第１の実施の形態において１はスカートからなる衣類等であって、この衣類等１は衣類等本体２と、この衣類等本体２に設けられた縦割り裂けられる分離部３と、この分離部３の一方の側に設けられた噛合せ移動体４を有するチャック型ファスナーからなる分離部側連結部５と、分離部３の他方の側に設けられたチャック型ファスナーからなる分離部側連結部６と、分離部３の一方の側の分離部側連結部５の内側に設けられた噛合せ移動体４を有するチャック型ファスナーからなる分離部側連結部７と、分離部３の一方の側の分離部側連結部６の内側に設けられたチャック型ファスナーからなる分離部側連結部８と殻なっている。
図では説明しやすくするために表側の分離部側連結部５、６を外側にし奥側の分離部側連結部７、８を内側に突き出させているが、実際の使用ではこの逆が好ましいものである。
分離部側連結部５、６、７、８は同じチャック型ファスナーからなっていて、対抗するものと連結することができるようになっており、分離部側連結部５、６あるいは７、８を連結することにより分離部３を閉じ状態とすることができる。【００１１】  使用例について説明する。
分離部側連結部５、６、７、８に連結取付けることができる装飾体等９、１０は次のような構成となっている。
プリーツからなる装飾体等本体１１と、この装飾体等本体１１の一方の側に設けられたチャック型ファスナーからなる装飾体等側連結部１２と、装飾体等本体１１の他方の側に設けられた噛合せ移動体４を有するチャック型ファスナーからなる装飾体等側連結部１３とからなっていて、装飾体等側連結部１２は分離部側連結部５か７に連結して、装飾体等側連結部１３は分離部側連結部６か８に連結して取付ける。
装飾体等側連結部１３の無い一方側がフリーの装飾体等を使用するなどでより多彩な表現形態を実現する。
以下に説明する実施の形態において同じ構成には同じ符号を付しその説明を省略する。【００１２】  図２に示すほ発明を実施するための最良の第２の実施の形態において１５はショートズボンからなる衣類等であって、衣類等１５は衣類等本体１６と、該１６の裾側から全体の半分程度に咲かれるように設けられた分離部３と、該３のそれぞれの開放端に設けられた分離部側連結部５、６、７、８（７，８は隠れて見えず）とからなっている。
図においてその飾り形態は、分離部側連結部７、８に装飾体等９が取り付けられ、分離部側連結部５にはプリーツの一方側に装飾体等側連結部１２を設けた装飾体等１７が一方を開放状態で取り付けられ、分離部側連結部６にはプリーツの一方側に装飾体等側連結部１３を設けた装飾体等１８が一方を開放状態で取り付けられている。
【産業上の利用可能性】
【００１３】  本発明は主に衣類を製造する産業で利用される。
【図面の簡単な説明】
【００１４】
【図１】本発明を実施するための最良の第１の実施形態を示す正面図。
【図２】本発明を実施するための最良の第２の実施の形態を示す側面図。
【符号の説明】
【００１５】１：衣類等、                            ２：衣類等本体、
３：分離部、                            ４：噛合せ移動体、
５：分離部側連結部、                    ６：分離部側連結部、
７：分離部側連結部、                    ８：分離部側連結部、
９：装飾体等、                        １０：装飾体等、
１１：装飾体等本体、                  １２：装飾体等側連結部、
１３：装飾体等側連結部、              １５：衣類等、
１６：衣類等本体、                    １７：装飾体等、
１８：装飾体等。
【図１】
2005325496.tif 000003
【図２】
2005325496.tif 000004